(57)【要約】【課題】折板を強い力で弾性変形させることなく容易に施工することができ、しかも、折板との連結強度の低下を防止して負圧に対する強度不足を生じないようにすることができるタイトフレームを提供する。【解決手段】折板を屋根下地に固定するためのタイトフレームＡに関する。断面略逆Ｕ字状のフレーム本体７と、フレーム本体７の側部１１に設けたスリット１３に挿着される係止体９とを備えて形成される。前記係止体９はスリット１３の外側方に位置してフレーム本体７の側方に配置される折板３の被係止部５に係止させるための係止片１０と、フレーム本体７の頂部８の上方に位置する操作片１４とを備えて形成される。操作片１４を押圧することにより係止体９をフレーム本体７の外側方に向かってスライド移動自在に形成しる。【選択図】図１
2009052318.tif 000002
【特許請求の範囲】
【請求項１】
折板を屋根下地に固定するためのタイトフレームであって、断面略逆Ｕ字状のフレーム本体と、フレーム本体の側部に設けたスリットに挿着される係止体とを備えて形成され、前記係止体はスリットの外側方に位置してフレーム本体の側方に配置される折板の被係止部に係止させるための係止片と、フレーム本体の頂部の上方に位置する操作片とを備えて形成され、操作片を押圧することにより係止体をフレーム本体の外側方に向かってスライド移動自在に形成して成ることを特徴とするタイトフレーム。
【請求項２】
請求項１に記載のタイトフレームにより折板を屋根下地に固定して形成される折板屋根であって、前記折板は、谷部の両側端部に上方に突出する山部半体を設けると共に一方の山部半体に嵌合部を、他方の山部半体に被嵌合部をそれぞれ設け、山部半体に側方に突出する被係止部を設けることによって形成され、前記折板を屋根下地に固定されたタイトフレームのフレーム本体の両側方に配置し、フレーム本体の頂部の上方において一方の折板の山部半体の嵌合部を他方の折板の被嵌合部と係止体の操作片とに嵌合し、嵌合部と被嵌合部とを馳締めすることにより折板の山部半体同士を連結し、前記馳締めにより操作片を押圧して係止体をフレーム本体の外側方に向かってスライド移動させることによって、係止体の係止片を折板の被係止部に係止して成ることを特徴とする折板屋根。
【発明の詳細な説明】
【技術分野】
【０００１】
本発明は、折板を屋根下地に固定するためのタイトフレーム及びこれを用いて形成される折板屋根に関するものである。
【背景技術】
【０００２】
従来より、複数枚の折板をタイトフレームで屋根下地に固定することにより折板屋根が形成されている。通常、折板とタイトフレームとを接続するにあたっては吊子が使用されるが、図７に示すように、吊子の他に折板とタイトフレームとを接続するものも提案されている（例えば、特許文献１参照）。これに使用されるタイトフレーム５０は、断面略逆Ｕ字状の支持部５１を有し、支持部５１の両下端に外側に向いて突出する固定片５２を設けて形成されている。また、支持部５１には係止体５８が設けられている。係止体５８は支持部５１の両側部に架け渡して配設されており、支持部５１に対して左右にスライド移動自在に形成されている。また、係止体５８の両端は係止部５３として形成されており、その係止部５３は支持部５１の外側面に突出している。一方、折板５４は平板状の谷部５５と、その両側から斜め上方に向かって突設される山部５６、５６とを有して形成されており、山部５６の側部には裏面側に突出する被係止部５７が突設されている。
【０００３】
そして、折板屋根を形成するにあたっては、複数個のタイトフレーム５０、５０…を屋根下地５９の上に並べて固定し、隣り合うタイトフレーム５０、５０の間に折板５４を嵌め込んで配置する。このとき、タイトフレーム５０の支持部５１の係止部５３の下に折板５４の被係止部５７を係止し、タイトフレーム５０と折板５４とを連結する。このようにして複数枚の折板５４、５４…を配置した後、支持部５１の上側において隣接する折板５４、５４の山部５６、５６の端部同士を馳接合する。こうして折板屋根を形成することができる。
【０００４】
しかし、上記の場合、折板５４を弾性変形させながら支持部５１の係止部５３に折板５４の被係止部５７を係止しなければならず、タイトフレーム５０と折板５４とを連結するのに強い力を必要とし、しかも折板５４に塑性変形や傷が生じて折板屋根の外観や防水性が低下するおそれがあった。また、折板５４を施工した後でも係止体５８は固定されずにスライド移動自在となっているので、係止体５８が不用意に移動して係止部５３と被係止部５７の係止が解除されてタイトフレーム５０から折板５４が外れやすくなり、負圧に対する強度不足が生じるおそれがあった。
【特許文献１】特開２００１−３４２７１５号公報
【発明の開示】
【発明が解決しようとする課題】
【０００５】
本発明は上記の点に鑑みてなされたものであり、折板を強い力で弾性変形させることなく容易に施工することができ、しかも、折板との連結強度の低下を防止して負圧に対する強度不足を生じないようにすることができるタイトフレーム及び折板屋根を提供することを目的とするものである。
【課題を解決するための手段】
【０００６】
本発明のタイトフレームＡは、折板３を屋根下地４に固定するためのタイトフレームＡであって、断面略逆Ｕ字状のフレーム本体７と、フレーム本体７の側部１１に設けたスリット１３に挿着される係止体９とを備えて形成され、前記係止体９はスリット１３の外側方に位置してフレーム本体７の側方に配置される折板３の被係止部５に係止させるための係止片１０と、フレーム本体７の頂部８の上方に位置する操作片１４とを備えて形成され、操作片１４を押圧することにより係止体９をフレーム本体７の外側方に向かってスライド移動自在に形成して成ることを特徴とするものである。
【０００７】
本発明の折板屋根は、請求項１に記載のタイトフレームＡにより折板３を屋根下地４に固定して形成される折板屋根であって、前記折板３は、谷部２の両側端部に上方に突出する山部半体１、１を設けると共に一方の山部半体１に嵌合部２４を、他方の山部半体１に被嵌合部２５をそれぞれ設け、山部半体１に側方に突出する被係止部５を設けることによって形成され、前記折板３を屋根下地４に固定されたタイトフレームＡのフレーム本体７の両側方に配置し、フレーム本体７の頂部８の上方において一方の折板３の山部半体１の嵌合部２４を他方の折板３の被嵌合部２５と係止体９の操作片１４とに嵌合し、嵌合部２４と被嵌合部２５とを馳締めすることにより折板３の山部半体１、１同士を連結し、前記馳締めにより操作片１４を押圧して係止体９をフレーム本体７の外側方に向かってスライド移動させることによって、係止体９の係止片１０を折板３の被係止部５に係止して成ることを特徴とするものである。
【発明の効果】
【０００８】
本発明では、係止体９の係止片１０を被係止部５に係止させない状態で、フレーム本体７の側方に折板３を配置した後、係止体９をフレーム本体７に対してスライド移動させることによって、係止体９の係止片１０を折板３の被係止部５を係止することができ、折板３を強い力で弾性変形させることなく係止片１０と被係止部５とを係止させることができて容易に施工することができるものである。また、馳締めにより接合した状態の山部半体１、１で操作片１４を挟持することができ、これにより、折板３の施工後に係止体９の不用意なスライド移動を防止することができるものであり、この結果、係止体９の係止片１０と折板３の被係止部５との連結が外れないようにすることができ、タイトフレームＡと折板３との連結強度の低下を防止して負圧に対する強度不足を生じないようにすることができるものである。
【発明を実施するための最良の形態】
【０００９】
以下、本発明を実施するための最良の形態を説明する。
【００１０】
図１〜３に本発明のタイトフレームＡを示す。このタイトフレームＡはフレーム本体７と係止体９とを備えて形成されている。
【００１１】
フレーム本体７は矩形状（帯状）の鋼板などの金属板を断面略逆Ｕ字状に折り曲げ加工して形成されるものであって、フレーム本体７の両方の下端には外側（側方）に向かって突出する固定片１６、１６が形成されている。本発明のタイトフレームＡでは、複数のフレーム本体７、７…が固定片１６を介して側方に連なって形成されていてもよいし、一つのフレーム本体７で一つのタイトフレームＡが形成されていてもよい。
【００１２】
フレーム本体７は頂部８と、頂部８の両側端から下方に向かって突出する側壁部３０と、各側壁部３０の下端から外側方（頂部８と反対側）に向かって突出する支え片３１と、各支え片３１の側端部から斜め下方に向かって突出する脚部片３２とから形成されており、この側壁部３０と支え片３１と脚部片３２とからフレーム本体７の側部１１が形成されている。また、脚部片３２の下端に延設される上記固定片１６には固定孔１７が設けられている。また、フレーム本体７の頂部８は前後方向の略中央部に位置するスペーサ部３３と、スペーサ部３３の前側と後側に位置する摺接部３４、３４とで構成されている。スペーサ部３３は頂部８の幅方向（側壁部３０、３０が対向する方向）に長く形成されており、スペーサ部３３の上面は摺接部３４の上面よりも高い位置にある。また、各側壁部３０、３０には上下方向に長いスリット１３が設けられている。スリット１３は側壁部３０を厚み方向に貫通して形成されており、スペーサ部３３の下部から側壁部３０の下端にまでの高さ寸法を有する長スリット部１３ａと、長スリット部１３ａの上端よりも低い位置から側壁部３０の下端にまでの高さ寸法を有する短スリット部１３ｂとが前後方向に連なって形成されている。また、一方の側壁部３０に形成した長スリット部１３ａと他方の側壁部３０に形成した短スリット部１３ｂとが互いに対向し、一方の側壁部３０に形成した短スリット部１３ｂと他方の側壁部３０に形成した長スリット部１３ａとが互いに対向するように形成されている。
【００１３】
係止体９は鋼板などの金属板を折り曲げ加工するなどして形成されるものであって、主動部材９ａと従動部材９ｂとで構成されている。主動部材９ａは基板３５の一側端に前方又は後方に向かって突設される係止片１０と、係止片１０の上端から斜め上方に向かって突設される延出片３６と、延出片３６の上端から基板３５側に略水平に突設される摺動片３７と、摺動片３７の側端に上方に向かって突設される操作片１４とを備えて形成されている。基板３５の他側端部は高さ寸法の小さい挿入部３８として形成されている。係止片１０はその上端から下端に向かって下り傾斜するように形成されている。また、基板３５の略中央部には基板３５の幅方向（横方向）に長い長孔で形成される連結孔３９が設けられている。従動部材９ｂは主動部材９ａから延出片３６と摺動片３７と操作片１４とを除いたものであって、上記と同形の基板３５とその一側端に前方又は後方に向かって突設される係止片１０とを備えて形成されている。そして、主動部材９ａの基板３５と従動部材９ｂの基板３５とを前後に接合することにより係止体９を形成することができる。ここで、主動部材９ａの係止片１０と従動部材９ｂの係止片１０とは互いに反対向きに突出している。また、主動部材９ａの連結孔３９と従動部材９ｂの連結孔３９は一致させるようにする。
【００１４】
そして、上記のフレーム本体７に二つ（一対）の係止体９を取り付けることによって、タイトフレームＡを形成することができる。フレーム本体７に係止体９を取り付けるにあたっては、一方の側壁部３０の外側（側方）から係止体９を近づけ、この側壁部３０に設けたスリット１３の長スリット部１３ａに基板３５を挿入し、この基板３５の挿入部３８を他方の側壁部３０の内側（裏側）からこの側壁部３０に設けたスリット１３の短スリット部１３ｂに挿入する。このようにして一対の係止体９、９をそれぞれ別の側壁部３０のスリット１３に差し込んだ後、頂部８の下側において、二つの係止体９、９の基板３５、３５に設けた連結孔３９、３９を前後に並べて配置し、この連結孔３９、３９にビス等の固定具４０を挿通すると共に挿通した固定具４０にナット等の締結具４１を螺合する。このようにして二つの係止体９、９の基板３５、３５を連結してフレーム本体７に取り付けることができる。ここで、各係止体９、９は連結孔３９の長手方向の寸法の範囲でスライド移動自在に形成されるものである。また、一方の係止片９の基板３５はフレーム本体７の一方の支え片３１に載置され、他方の係止体９の基板３５は他方の支え片３１に載置される。また、一方の係止体９の摺動片３７はフレーム本体７の頂部８の一方の摺接部３４に載置され、他方の係止体９の摺動片３７は頂部８の他方の摺接部３４に載置されるが、摺動片３７の上面はスペーサ部３３の上面よりも低く位置している。また、係止体９の操作片１４は頂部８の摺接部３４の上方に位置している。
【００１５】
図４に本発明で用いる折板３を示す。折板３は塗装鋼板や亜鉛めっき鋼板などの金属板を折り曲げ加工して形成される屋根材であって、屋根の傾斜方向（流れ方向）に長尺に形成されるものである。また、折板３は断面略Ｕ字状に形成されており、平板状の谷部２と、その両側から斜め上方に向かって突出する山部半体１、１とを備えて形成されている。山部半体１、１のうち、一方の山部半体１ａの上部は、谷部２と反対側に向かって突出する頂部片２３と、頂部片２３の端部から上方に向かって突出する断面略逆Ｕ字状の嵌合部２４とから構成されている。上記嵌合部２４は頂部片２３から上方に向かって突設される押さえ片４２と、押さえ片４２の上端から頂部片２３と反対側に突設される上片４３と、上片４３から斜め下方に向かって突設される傾斜片４４と、傾斜片４４の先端から押さえ片４２の方に向かって突設される断面略逆く字状の押圧部２６からなり、押圧部２６は押さえ片４２と対向するように形成されている。また、押圧部２６の先端は折り返し屈曲されている。
【００１６】
山部半体１、１のうち、他方の山部半体１ｂの上部は、谷部２と反対側に向かって突出する頂部片２３と、頂部片２３の端部から上方に向かって突出する断面略逆Ｕ字状の被嵌合部２５とから構成されている。また、山部半体１ａ、１ｂの傾斜部分の側部１２には被係止部５が設けられている。被係止部５は山部半体１ａ、１ｂの側部１２の一部を折り曲げて山部半体１ａ、１ｂの裏面側（側方）に突出するように形成されている。被係止部５は山部半体１ａ、１ｂの傾斜部分の中央部よりもやや上側に形成することができ、また、折板３の長尺方向の全長にわたって形成することができる。
【００１７】
そして、本発明の折板屋根を形成するあたっては、次のようにして施工することができる。まず、複数個のタイトフレームＡ、Ａ…を建物の母屋などの屋根下地４の上に固定する。このとき、タイトフレームＡの固定片１６を屋根下地４の上に載せ、固定孔１７にボルトなどの固定具を上側から挿通すると共にこの固定具を屋根下地４にねじ込んで螺着することによって、タイトフレームＡを屋根下地４に固定することができる。タイトフレームＡは屋根下地４の長手方向に並べて複数個取り付けることができ、これにより、屋根下地４の長手方向（屋根の傾斜方向と直交する方向）のほぼ全長にわたってタイトフレームＡを並設することができる。また、この場合、フレーム本体７の頂部８の幅方向が屋根下地４の長手方向と一致している。尚、複数個のフレーム本体７、７…が連なって一つのタイトフレームＡが形成されている場合は、必要な個数に足りれば、一つのタイトフレームＡのみを屋根下地４に取り付ければよい。
【００１８】
次に、屋根の傾斜方向に並設された複数本の屋根下地４、４…の上に一枚の折板３Ａを架設する。このとき、フレーム本体７に取り付けた二つの係止体９、９はフレーム本体７の側部１１から最も突出していない状態となるようにスライド移動させている。すなわち、フレーム本体７の支え片３１と脚部片３２との境界部分と係止体９に設けた係止片１０の下端との距離が最も小さくなるように、各係止体９をスライド移動させて配置する。また、屋根下地４に取り付けたタイトフレームＡの隣り合うフレーム本体７、７の間に折板３Ａの谷部２を位置させて屋根下地４の上に載置する。また、図５（ａ）に示すように、この折板３Ａの一方（被嵌合部２５を設けた方）の山部半体１ｂの被係止部５をフレーム本体７に近接して配置するが、この被係止部５はフレーム本体７に設けた一方の係止体９Ａの係止片１０よりも僅かに低い位置に配置されるようになっている。また、この一方の山部半体１ｂに形成される頂部片２３は上記フレーム本体７の頂部８のスペーサ部３３の上方に配置され、これにより、頂部片２３と上記係止体９Ａの摺動片３７との間には隙間が形成されている。また、上記一方の山部半体１ｂの被嵌合部２５は近接させた上記フレーム本体７に設けた他方の係止体９Ｂの操作片１４に当接させるようにする。尚、上記のように、頂部片２３と摺動片３７との間に隙間を設けることにより、後述のように、係止体９をスライド移動させる際に、頂部片２３と摺動片３７とが接触しなくなって、係止体９のスライド移動をスムーズに行うことができる。
【００１９】
次に、図５（ａ）に示すように、上記とは別の他の折板３Ｂを屋根の傾斜方向に並設された複数本の屋根下地４、４…の上に架設する。ここで、新たに架設するこの折板３Ｂは上記既設の折板３Ａに隣接して配置され、上記フレーム本体７とこれに隣り合うフレーム本体７との間に配置される。また、新たに架設するこの折板３Ｂの一方の山部半体（既設の折板３Ａに近い方の山部半体）１ａの被係止部５は、上記フレーム本体７に設けた他方の係止体９Ｂの係止片１０よりも僅かに低い位置に配置されるようになっている。また、新たに架設する折板３Ｂの既設の折板３Ａに近い方の山部半体１ａの嵌合部２４を、既設の折板３Ａの上記山部半体１ｂの被嵌合部２５と両方の係止体９Ａ、９Ｂの操作片１４、１４とに上側から嵌め込む。これにより、折板３Ｂの嵌合部２４の内側に折板３Ａの被嵌合部２５と両方の係止体９Ａ、９Ｂの操作片１４、１４とが位置することになる。また、折板３Ｂの嵌合部２４の押さえ片４２は上記一方の係止体９Ａの操作片１４に当接させる。
【００２０】
この後、図５（ｂ）の矢印イで示すように、折板３Ｂの嵌合部２４の押圧部２６と押さえ片４２とを互いに近づけるように押圧しながら傾斜片４４を折り曲げ、押圧部２６を折板３Ａの被嵌合部２５の下側に係止させる。このようにして折板３Ａの山部半体１ｂと折板３Ｂの山部半体１ａとを馳締め（ハゼ締め）により接合することによって、押圧部２６と押さえ片４２との間で操作片１４、１４及び被嵌合部２５を挟持すると共に隣接する折板３Ａの山部半体１ｂと折板３Ｂの山部半体１ａとを接続して山部６を形成する。また、上記の馳締めにより、図５（ｂ）の矢印ハで示すように、一方の係止体９Ｂの操作片１４が一方の折板３Ａの被嵌合部２５により側方から押圧され、この係止体９Ｂが他方の折板３Ｂに近づく方向にスライド移動し、この折板３Ｂの被係止部５の上側に係止体９Ｂの係止片１０が位置することになる。また、上記の馳締めにより、図５（ｂ）の矢印ロで示すように、他方の係止体９Ａの操作片１４が他方の折板３Ｂの押さえ片４２により側方から押圧され、この係止体９Ａが上記一方の折板３Ａに近づく方向にスライド移動し、この折板３Ａの被係止部５の上側に係止体９Ａの係止片１０が位置することになる。すなわち、上記の馳締めの作業と連動して係止体９Ａ、９Ｂを互いに逆方向にスライド移動させることにより、係止体９Ａ、９Ｂの係止片１０がフレーム本体７の側部１１から大きく突出した状態となり、この係止片１０の下側に折板３Ａ、３Ｂの各被係止部５が係止されることになる。そして、このようにして複数枚の折板３、３…を順次接続しながら敷設していくことにより、山部６と谷部２とが交互に連続して連なった折板屋根を形成することができる。
【００２１】
上記のように、本発明のタイトフレームＡを用いた折板屋根では、係止体９の係止片１０に折板３の被係止部５を係止させない状態でフレーム本体７の側方に折板３を配置し、この後、係止体９をスライド移動させて折板３の被係止部５を係止片１０に係止するので、折板３を強い力で弾性変形させることなく係止片１０と被係止部５とを係止させることができて容易に施工することができる。また、馳締めにより接合した状態の山部半体１、１の嵌合部２４の押さえ片４２と押圧部２６と被嵌合部２５とにより操作片１４、１４を挟持することができ、これにより、折板３の施工後に係止体９の不用意なスライド移動を防止することができるものである。従って、係止体９の係止片１０と折板３の被係止部５との連結が外れないようにすることができ、タイトフレームＡと折板３との連結強度の低下を防止して負圧に対する強度不足を生じないようにすることができるものである。
【００２２】
折板３の嵌合部２４と被嵌合部２５は各種の形状を採用することができ、例えば、図６のようなものがある。この嵌合部２４は頂部片２３から上方に向かって突設される押さえ片４２と、押さえ片４２の上端から頂部片２３と反対側に突設される上片４３と、上片４３から鉛直下方に向かって突設される屈曲片４５と、屈曲片４５の先端から押さえ片４２と反対側に向かって突設される挟持片４６とから構成されている。また、被嵌合部２５は頂部片２３の端部から上方に向かって突出する断面略逆Ｌ字状に形成されている。
【００２３】
そして、上記と同様にして、折板３Ａの山部半体１ｂの被嵌合部２５をフレーム本体７に設けた係止体９Ｂの操作片１４に当接させて配設した後、図６（ａ）のように、新たに架設する折板３Ｂの既設の折板３Ａに近い方の山部半体１ａの嵌合部２４を、既設の折板３Ａの上記山部半体１ｂの被嵌合部２５と両方の係止体９Ａ、９Ｂの操作片１４、１４とに上側から嵌め込んで、折板３Ｂの嵌合部２４の内側に折板３Ａの被嵌合部２５と両方の係止体９Ａ、９Ｂの操作片１４、１４とを位置させ、折板３Ｂの嵌合部２４の押さえ片４２は上記一方の係止体９Ａの操作片１４に当接させる。この後、図６（ｂ）の矢印イで示すように、折板３Ｂの嵌合部２４の挟持片４６と押さえ片４２とを互いに近づけるように押圧しながら屈曲片４５を折り曲げる。このようにして折板３Ａの山部半体１ｂと折板３Ｂの山部半体１ａとを馳締めにより接合することによって、挟持片４６と押さえ片４２との間で操作片１４、１４及び被嵌合部２５を挟持すると共に隣接する折板３Ａの山部半体１ｂと折板３Ｂの山部半体１ａを接続して山部６を形成する。また、この馳締めにより、上記と同様に、一方の係止体９Ｂの操作片１４が一方の折板３Ａの被嵌合部２５により側方から押圧され、この係止体９Ｂが他方の折板３Ｂに近づく方向にスライド移動し、この折板３Ｂの被係止部５の上側に係止体９Ｂの係止片１０が位置することになり、また、他方の係止体９Ａの操作片１４が他方の折板３Ｂの押さえ片４２により側方から押圧され、この係止体９Ａが上記一方の折板３Ａに近づく方向にスライド移動し、この折板３Ａの被係止部５の上側に係止体９Ａの係止片１０が位置することになる。このように上記の馳締めの作業と連動して係止体９Ａ、９Ｂを互いに逆方向にスライド移動させることにより、係止体９Ａ、９Ｂの係止片１０がフレーム本体７の側部１１から大きく突出した状態となり、この係止片１０の下側に折板３Ａ、３Ｂの各被係止部５が係止されることになる。
【図面の簡単な説明】
【００２４】
【図１】本発明のタイトフレームの一例を示す斜視図である。
【図２】同上の分解した斜視図である。
【図３】同上の（ａ）は正面図、（ｂ）は平面図である。
【図４】同上の折板の一例を示す斜視図である。
【図５】同上の折板の施工の一例を示し、（ａ）（ｂ）は断面図である。
【図６】同上の折板の施工の他例を示し、（ａ）（ｂ）は断面図である。
【図７】従来例を示す断面図である。
【符号の説明】
【００２５】
１  山部半体
２  谷部
３  折板
４  屋根下地
５  被係止部
７  フレーム本体
８  頂部
９  係止体
１０  係止片
１１  側部
１２  側部
１３  スリット
１４  操作片
【図１】
2009052318.tif 000003
【図２】
2009052318.tif 000004
【図３】
2009052318.tif 000005
【図４】
2009052318.tif 000006
【図５】
2009052318.tif 000007
【図６】
2009052318.tif 000008
【図７】
2009052318.tif 000009